(57)【要約】【課題】キャリアテープに電子部品を安定して収容できるキャリアテープ組立体及びキャリアテープを提供する。【解決手段】キャリアテープ組立体１００は、収容穴１４０を画定する収容部１２２をもつキャリアテープ１２０と、収容穴１４０内に配設された電子部品１３０と、を備え、収容部１２２が、収容穴１４０内に配設された隆起面１２６を含み、電子部品１３０が、切り欠き１３４を含み、隆起面１２６の少なくとも一部が、切り欠き１３４内に配設されている。【選択図】図４
2017165426.tif 000002
【特許請求の範囲】
【請求項１】
収容穴を画定する収容部をもつキャリアテープと、
前記収容穴内に配設された電子部品と、
を備え、
前記収容部が、前記収容穴内に配設された隆起面を含み、
前記電子部品が、切り欠きを含み、
前記隆起面の少なくとも一部が、前記切り欠き内に配設されている、
キャリアテープ組立体。
【請求項２】
前記収容部が、前記収容穴に対して前記電子部品を所定方向に沿って出し入れ可能に構成された開口と、前記収容穴内で前記開口から前記所定方向に離間した底面とを含み、
前記切り欠きが、前記底面側の端部をもち、
前記隆起面が、前記所定方向の逆方向において前記端部に当接するように配設されており、
前記隆起面が、前記所定方向に直交する方向において前記端部に当接するように配設されている、
請求項１に記載のキャリアテープ組立体。
【請求項３】
前記隆起面は、前記所定方向と前記所定方向に直交する平面との両方に対して傾斜して前記開口を臨む凸面をもち、
前記凸面の少なくとも一部が、前記切り欠き内に配設されている、
請求項２に記載のキャリアテープ組立体。
【請求項４】
前記凸面の形状が、略円錐形状の曲面の一部を含む、
請求項３に記載のキャリアテープ組立体。
【請求項５】
前記切り欠きの形状が、前記所定方向に延在する略円柱形状の曲面の一部を含む、
請求項２乃至請求項４のいずれか一項に記載のキャリアテープ組立体。
【請求項６】
前記電子部品が、前記底面を臨む支持面をもち、
前記支持面が、複数の角部をもつ略多角形であり、
前記切り欠きが、前記角部に配設されており、
前記切り欠きが、前記角部において前記支持面に沿って内側に窪んだ形状をもつ、
請求項２乃至請求項５のいずれか一項に記載のキャリアテープ組立体。
【請求項７】
３つ以上の前記隆起面と、
３つ以上の前記切り欠きと、
を備え、
前記電子部品が、前記底面を臨む支持面をもち、
前記支持面の外形が、４つの角部をもつ略長方形であり、
３つ以上の前記角部の各々に１つの前記切り欠きが配設されており、
前記切り欠きの各々が、前記角部において前記支持面に沿って内側に窪んだ形状をもち、
３つ以上の前記隆起面の各々の前記少なくとも一部が、異なる前記切り欠き内に配設されている、
請求項２乃至請求項５のいずれか一項に記載のキャリアテープ組立体。
【請求項８】
前記電子部品が、前記底面を臨む支持面をもち、
前記支持面が、複数の縁をもつ略多角形であり、
前記切り欠きが、前記縁に配設されており、
前記切り欠きが、前記縁において前記支持面に沿って内側に窪んだ形状をもつ、
請求項２乃至請求項５のいずれか一項に記載のキャリアテープ組立体。
【請求項９】
４つの前記隆起面と、
４つの前記切り欠きと、
を備え、
前記電子部品が、前記底面を臨む支持面をもち、
前記支持面の外形が、４つの縁をもつ略長方形であり、
４つの前記縁の各々に１つの前記切り欠きが配設されており、
前記切り欠きの各々が、前記縁において前記支持面に沿って内側に窪んだ形状をもち、
４つの前記隆起面の各々の前記少なくとも一部が、異なる前記切り欠き内に配設されている、
請求項２乃至請求項５のいずれか一項に記載のキャリアテープ組立体。
【請求項１０】
切り欠きをもつ電子部品を収容する収容穴を画定する収容部と、
前記電子部品の前記切り欠き内に配設されて前記電子部品に当接する隆起面と、
を備え、
前記隆起面が、前記収容穴内に配設されている、
キャリアテープ。
【発明の詳細な説明】
【技術分野】
【０００１】
本発明は、キャリアテープ組立体及びキャリアテープに関するものである。
【背景技術】
【０００２】
従来、特許文献１のように、電子部品を搬送するため、複数の電子部品をキャリアテープの複数の凹部に収容したキャリアテープ組立体が知られている。凹部は、電子部品を出し入れできるように、ある程度大きく作られているので、電子部品が凹部内で安定しない。
【先行技術文献】
【特許文献】
【０００３】
【特許文献１】実開平５−６５８７０号明細書
【発明の概要】
【発明が解決しようとする課題】
【０００４】
電子部品を出し入れする方向に直交する方向から、リブで電子部品を挟む構成も考えられる。しかしながら、そのようなリブを使用する場合、寸法誤差により電子部品が凹部より大きいと、電子部品が凹部に入らない場合があり、また、寸法誤差により電子部品が凹部より小さいと、電子部品が凹部内で安定しないという不利益がある。
【０００５】
本発明はかかる事情に鑑みてなされたものであり、その目的は、キャリアテープに電子部品を安定して収容できるキャリアテープ組立体及びキャリアテープを提供することにある。
【課題を解決するための手段】
【０００６】
本発明は、収容穴を画定する収容部をもつキャリアテープと、収容穴内に配設された電子部品と、を備え、収容部が、収容穴内に配設された隆起面を含み、電子部品が、切り欠きを含み、隆起面の少なくとも一部が、切り欠き内に配設されている、キャリアテープ組立体である。
【０００７】
この構成によれば、切り欠き内に隆起面が配設されているので、直線状の部分に隆起面が当接するように配設されている場合に比べて、キャリアテープの収容穴に電子部品を安定して収容できる。
【０００８】
好適には本発明のキャリアテープ組立体において、収容部が、収容穴に対して電子部品を所定方向に沿って出し入れ可能に構成された開口と、収容穴内で開口から所定方向に離間した底面とを含み、切り欠きが、底面側の端部をもち、隆起面が、所定方向の逆方向において端部に当接するように配設されており、隆起面が、所定方向に直交する方向において端部に当接するように配設されている。
【０００９】
この構成によれば、隆起面が、所定方向の逆方向において端部に当接するので、電子部品の所定方向における動きが制限される。さらに、隆起面が、所定方向に直交する方向において端部に当接するので、所定方向に直交する方向における電子部品の動きが制限される。従って、電子部品を出し入れする所定方向における電子部品の動きと、所定方向に直交する方向における電子部品の動きとを別の部材で制限する場合に比べ、簡単な構成で収容穴に電子部品を安定して収容できる。
【００１０】
好適には本発明のキャリアテープ組立体において、隆起面は、所定方向と所定方向に直交する平面との両方に対して傾斜して開口を臨む凸面をもち、凸面の少なくとも一部が、切り欠き内に配設されている。
【００１１】
この構成によれば、凸面が切り欠き内に配設されているので、直線状の部分に隆起面が当接するように配設されている場合に比べて、収容穴に電子部品を安定して収容できる。
【００１２】
好適には本発明のキャリアテープ組立体において、凸面の形状が、略円錐形状の曲面の一部を含む。
【００１３】
この構成によれば、略円錐形状の曲面の一部である凸面が切り欠き内に配設されているので、直線状の部分に隆起面が当接するように配設されている場合に比べて、収容穴に電子部品を安定して収容できる。
【００１４】
好適には本発明のキャリアテープ組立体において、切り欠きの形状が、所定方向に延在する略円柱形状の曲面の一部を含む。
【００１５】
この構成によれば、所定方向に延在する略円柱形状の曲面の一部を含む切り欠き内に隆起面が配設されているので、直線状の部分に隆起面が当接するように配設されている場合に比べて、収容穴に電子部品を安定して収容できる。
【００１６】
好適には本発明のキャリアテープ組立体において、電子部品が、底面を臨む支持面をもち、支持面が、複数の角部をもつ略多角形であり、切り欠きが、角部に配設されており、切り欠きが、角部において支持面に沿って内側に窪んだ形状をもつ。
【００１７】
この構成によれば、切り欠きが角部に配設されているので、角部を画定する２つの縁に沿った電子部品の移動を抑制できる。
【００１８】
好適には本発明のキャリアテープ組立体において、３つ以上の隆起面と、３つ以上の切り欠きと、を備え、電子部品が、底面を臨む支持面をもち、支持面の外形が、４つの角部をもつ略長方形であり、３つ以上の角部の各々に１つの切り欠きが配設されており、切り欠きの各々が、角部において支持面に沿って内側に窪んだ形状をもち、３つ以上の隆起面の各々の少なくとも一部が、異なる切り欠き内に配設されている。
【００１９】
この構成によれば、略長方形の支持面の３つ以上の角部の各々に切り欠きが配設され、さらに、３つ以上の隆起面の各々が異なる切り欠き内に配設されているので、収容穴に電子部品を安定して収容できる。
【００２０】
好適には本発明のキャリアテープ組立体において、電子部品が、底面を臨む支持面をもち、支持面が、複数の縁をもつ略多角形であり、切り欠きが、縁に配設されており、切り欠きが、縁において支持面に沿って内側に窪んだ形状をもつ。
【００２１】
この構成によれば、切り欠きの一部が縁に配設されているので、縁に沿った電子部品の移動を抑制できる。
【００２２】
好適には本発明のキャリアテープ組立体において、４つの隆起面と、４つの切り欠きと、を備え、電子部品が、底面を臨む支持面をもち、支持面の外形が、４つの縁をもつ略長方形であり、４つの縁の各々に１つの切り欠きが配設されており、切り欠きの各々が、縁において支持面に沿って内側に窪んだ形状をもち、４つの隆起面の各々の少なくとも一部が、異なる切り欠き内に配設されている。
【００２３】
この構成によれば、略長方形の支持面の４つの縁の各々に切り欠きが配設され、さらに、４つの隆起面の各々が異なる切り欠き内に配設されているので、収容穴に電子部品を安定して収容できる。
【００２４】
本発明は、切り欠きをもつ電子部品を収容する収容穴を画定する収容部と、電子部品の切り欠き内に配設されて電子部品に当接する隆起面と、を備え、隆起面が、収容穴内に配設されている、キャリアテープである。
【００２５】
この構成によれば、電子部品の切り欠き内に配設される隆起面を備えるので、電子部品の直線部分に当接する部位を備える場合に比べて、収容穴に電子部品を安定して収容できる。
【発明の効果】
【００２６】
本発明によれば、キャリアテープに電子部品を安定して収容できる。
【図面の簡単な説明】
【００２７】
【図１】本発明の第１実施形態のキャリアテープ組立体の部分斜視図である。
【図２】図１のキャリアテープ組立体の部分平面図である。
【図３】図２の３−３線におけるキャリアテープ組立体の部分断面図である。
【図４】図２の４−４線におけるキャリアテープ組立体の部分断面図である。
【図５】図１の電子部品の底面図である。
【図６】本発明の第２実施形態のキャリアテープ組立体の部分平面図である。
【図７】本発明の第３実施形態のキャリアテープ組立体の部分平面図である。
【図８】図７の８−８線におけるキャリアテープ組立体の部分断面図である。
【図９】図８の電子部品の底面図である。
【図１０】図８の１０−１０線におけるキャリアテープ組立体の部分断面図である。
【図１１】本発明の第４実施形態のキャリアテープ組立体の部分平面図である。
【図１２】本発明の第５実施形態のキャリアテープ組立体の部分平面図である。
【発明を実施するための形態】
【００２８】
（第１実施形態）
以下、本発明の第１実施形態に係るキャリアテープ組立体１００について説明する。図１は、本実施形態のキャリアテープ組立体１００の部分斜視図である。
【００２９】
本明細書において、互いに直交するｘ方向、ｙ方向、及びｚ方向を規定する。ｘ方向は、互いに逆を向くｘ１方向とｘ２方向とを区別せずに表す。ｙ方向は互いに逆を向くｙ１方向とｙ２方向とを区別せずに表す。ｚ方向は互いに逆を向くｚ１方向とｚ２方向とを区別せずに表す。これらの方向は、相対的な位置関係を説明するために便宜上規定するのであって、実際の使用時の方向を限定するわけではない。構成要素の形状は、「略」という記載があるかないかにかかわらず、本明細書で開示された実施形態の技術思想が実現される限り、記載された表現に基づく厳密な幾何学的な形状に限定されない。
【００３０】
図２は、ｚ２方向に見た、キャリアテープ組立体１００の部分平面図である。図２では、後述の透明フィルム１２９を通して他の構成要素が見える。図３は、図２の３−３線を通るキャリアテープ組立体１００の断面（ｘ方向に直交する）を、矢印の方向（ｘ１方向）に見た部分断面図である。図４は、図２の４−４線を通るキャリアテープ組立体１００の断面（ｚ方向に沿い、ｘ方向及びｙ方向に対して４５度傾斜）を、矢印の方向にみた部分断面図である。
【００３１】
図１に示すように、キャリアテープ組立体１００は、ｘ方向の幅がｙ方向の長さよりも著しく小さく、ｚ方向の厚さがｘ方向の幅よりも著しく小さい、帯状の外形をもつ。キャリアテープ組立体１００は、キャリアテープ１２０と、キャリアテープ１２０に収容された電子部品１３０とを備える。キャリアテープ１２０は、長手方向（ｙ方向）に沿って複数の電子部品１３０を収容する。
【００３２】
例えば、電子部品１３０の製造場所で電子部品１３０がキャリアテープ１２０に収容され、別の場所に搬送された後、電子部品１３０がキャリアテープ１２０から取り出されて電子回路などに搭載される。キャリアテープ１２０は、可撓性のある材料で形成されているので、映画のフィルムのように図示しないリールに巻いて搬送される。本実施形態では、直線状に延ばした状態のキャリアテープ組立体１００について説明する。また、本実施形態では、ｚ２方向を下向きとしたときの、電子部品１３０とキャリアテープ１２０との位置関係を中心に説明する。
【００３３】
（キャリアテープ）
キャリアテープ１２０は、図１に示すように、周辺部１２１、複数の収容部１２２、及び透明フィルム１２９を含む。周辺部１２１は、複数の収容部１２２の位置を除いて、ｘｙ平面に平行な、帯状かつ薄板状の外形をもつ。各収容部１２２は、周辺部１２１のｘ方向中央付近で、周辺部１２１からｚ２方向に窪んだ形状をもつ。複数の収容部１２２は、ｙ方向に一定間隔で配設されている。以下、複数の収容部１２２はいずれも同じ形状であるので、１つの収容部１２２に注目して説明する。
【００３４】
収容部１２２は、図３に示す開口１２３及び底面１２４を含み、さらに、図２に示す第１内面１２５ａ〜第４内面１２５ｄ（以下、区別せずに内面１２５と呼ぶ場合がある）、及び第１隆起面１２６ａ〜第４隆起面１２６ｄ（以下、区別せずに隆起面１２６と呼ぶ場合がある）を含む。収容部１２２は、電子部品１３０が収容される収容穴１４０を画定する。収容穴１４０の外形は、略直方体である。他の例において、収容穴１４０の外形は、直方体以外の多角柱などの他の形状であってもよい。
【００３５】
図３に示す開口１２３は、透明フィルム１２９を剥がした状態で、収容穴１４０に対して電子部品１３０をｚ方向に沿って出し入れ可能に構成されている。開口１２３は、周辺部１２１と略同一の面内にある。収容穴１４０は、開口１２３によりｚ１方向に開放されている。底面１２４は、収容穴１４０内で開口１２３からｚ２方向に離間している。底面１２４は、ｘｙ平面に沿って延在する。図２に示すように、収容穴１４０は、ｚ方向に略一定形状で延在するので、ｚ２方向に見たとき略長方形である。従って、図３に示す開口１２３及び底面１２４も、略長方形である。
【００３６】
図２に示す４つの内面１２５は、図３に示す開口１２３と底面１２４との間に延在しており、収容穴１４０の外形を画定する直方体の４つの面に対応する。第１内面１２５ａ及び第３内面１２５ｃは、ｘｚ平面に平行である。ｙ１側の第１内面１２５ａとｙ２側の第３内面１２５ｃとの間に収容穴１４０が画定される。第２内面１２５ｂ及び第４内面１２５ｄは、ｙｚ平面に平行である。ｘ１側の第２内面１２５ｂとｘ２側の第４内面１２５ｄとの間に収容穴１４０が画定される。
【００３７】
図２に示すように、隆起面１２６は、収容穴１４０内に配設されている。隆起面１２６は、ｚ方向とｚ方向に直交するｘｙ平面との両方に対して傾斜して開口１２３を臨む凸面をもつ。すなわち、電子部品１３０がない状態において、開口１２３からｚ方向に隆起面１２６の凸面を視認することができる。隆起面１２６の凸面の形状は、略円錐形状の曲面の一部を含む。
【００３８】
第１隆起面１２６ａは、第１内面１２５ａと第２内面１２５ｂと底面１２４とにより画定される角に配設されている。第２隆起面１２６ｂは、第２内面１２５ｂと第３内面１２５ｃと底面１２４とにより画定される角に配設されている。第３隆起面１２６ｃは、第３内面１２５ｃと第４内面１２５ｄと底面１２４とにより画定される角に配設されている。第４隆起面１２６ｄは、第４内面１２５ｄと第１内面１２５ａと底面１２４とにより画定される角に配設されている。
【００３９】
図２の矢印１５０は、第１隆起面１２６ａの外形に対応する仮想的な円錐形の中心軸上に存在し、仮想的な円錐形の先端の向く方向を指す。矢印１５０は、ｘｙ平面に平行であり、底面１２４からｚ２方向に離間している。矢印１５０は、ｘｙ平面内でｙ２方向から時計回りに約４５度傾いている。すなわち、矢印１５０は、図２のようにｚ２方向に見たとき、収容穴１４０内部を向く。第２隆起面１２６ｂは、第１隆起面１２６ａをｘｙ平面内で時計回りに９０度回転させた形状をもつ。第３隆起面１２６ｃは、第１隆起面１２６ａをｘｙ平面内で時計回りに１８０度回転させた形状をもつ。第４隆起面１２６ｄは、第１隆起面１２６ａをｘｙ平面内で時計回りに２７０度回転させた形状をもつ。
【００４０】
図３で第１隆起面１２６ａにより代表的に示されるように、隆起面１２６の中央付近（図４でｚ１方向に最も突出した部分を通る母線上の領域）は、概ね、内面１２５に近いほどｚ方向において底面１２４から遠く、内面１２５から遠いほどｚ方向において底面１２４に近い。また、図４で第３隆起面１２６ｃにより代表的に示されるように、隆起面１２６は、中央付近でｚ方向において底面１２４から最も遠く、中央から遠いほどｚ方向において底面１２４に近い。
【００４１】
図３に示すように透明フィルム１２９は、ｘｙ平面に平行に延在する薄膜である。透明フィルム１２９は、周辺部１２１に密着し、収容穴１４０の開口１２３を覆うように延在する。透明フィルム１２９は、電子部品１３０が収容穴１４０に収容された後に取り付けられる。透明フィルム１２９は、電子部品１３０を収容穴１４０から取り出す必要があるときに剥がすことができる。
【００４２】
（電子部品）
電子部品１３０は、図３に示す上面１３１及び支持面１３２を含み、さらに、図２に示す第１側面１３３ａ〜第４側面１３３ｄ（以下、区別せずに側面１３３と呼ぶ場合がある）及び第１切り欠き１３４ａ〜第４切り欠き１３４ｄ（以下、区別せずに切り欠き１３４と呼ぶ場合がある）を含む。電子部品１３０の外形は概ね直方体である。
【００４３】
図３に示すように、上面１３１は、ｘｙ平面に平行であり、ｚ１方向に透明フィルム１２９及び開口１２３を臨む。支持面１３２は、ｘｙ平面に平行であり、ｚ２方向に底面１２４を臨む。
【００４４】
図２に示すように、第１側面１３３ａは、ｘｚ平面に平行であり、ｙ１方向に第１内面１２５ａを臨む。第２側面１３３ｂは、ｙｚ平面に平行であり、ｘ１方向に第２内面１２５ｂを臨む。第３側面１３３ｃは、ｘｚ平面に平行であり、ｙ２方向に第３内面１２５ｃを臨む。第４側面１３３ｄは、ｙｚ平面に平行であり、ｘ２方向に第４内面１２５ｄを臨む。互いに対向する側面１３３と内面１２５とは、側面１３３に設けられた図示しない端子が接触しない程度に近接している。
【００４５】
第１側面１３３ａと第２側面１３３ｂとの交差部分に第１切り欠き１３４ａが配設されている。第２側面１３３ｂと第３側面１３３ｃとの交差部分に第２切り欠き１３４ｂが配設されている。第３側面１３３ｃと第４側面１３３ｄとの交差部分に第３切り欠き１３４ｃが配設されている。第４側面１３３ｄと第１側面１３３ａとの交差部分に第４切り欠き１３４ｄが配設されている。
【００４６】
図５は、電子部品１３０をｚ１方向に見た底面図である。電子部品１３０の支持面１３２の形状は、略長方形である。支持面１３２は、支持面１３２の外形を画定する略直線状の第１縁１３５ａ〜第４縁１３５ｄ（以下、区別せずに縁１３５と呼ぶ場合がある）をもつ。第１縁１３５ａ〜第４縁１３５ｄは、それぞれ、第１側面１３３ａ〜第４側面１３３ｄのそれぞれと、支持面１３２との交差部分にある。第１端部１３７ａ〜第４端部１３７ｄ（以下、区別せずに端部１３７と呼ぶ場合がある）は、それぞれ、第１切り欠き１３４ａ〜第４切り欠き１３４ｄの支持面１３２側の端部である。
【００４７】
第１縁１３５ａと第２縁１３５ｂとが近接する第１角部１３６ａに、第１端部１３７ａが配設されている。第２縁１３５ｂと第３縁１３５ｃとが近接する第２角部１３６ｂに、第２端部１３７ｂが配設されている。第３縁１３５ｃと第４縁１３５ｄとが近接する第３角部１３６ｃに、第３端部１３７ｃが配設されている。第４縁１３５ｄと第１縁１３５ａとが近接する第４角部１３６ｄに、第４端部１３７ｄが配設されている。以下、第１角部１３６ａ〜第４角部１３６ｄを区別せずに角部１３６と呼ぶ場合がある。
【００４８】
切り欠き１３４の形状は、ｚ方向と平行な中心軸をもってｚ方向に延在する略円柱形状の曲面の一部を含む。切り欠き１３４は、略円柱形状の曲面の４分の１の形状をもつ。切り欠き１３４の端部１３７は、図５に示すように、角部１３６において支持面１３２に沿って内側に窪んだ形状をもつ。端部１３７は、円周の４分の１の形状をもつ。
【００４９】
（位置関係）
図２に示すように、ｚ２方向に見たとき、第１切り欠き１３４ａ〜第４切り欠き１３４ｄは、それぞれ、第１隆起面１２６ａ〜第４隆起面１２６ｄに重なる位置にある。
【００５０】
図４は、第３隆起面１２６ｃと第３切り欠き１３４ｃとの相対的な位置を示すが、他の組み合わせの隆起面１２６と切り欠き１３４との相対的な位置関係も同じである。図４に示すように、凸面である隆起面１２６の少なくとも一部が、切り欠き１３４内に配設されている。すなわち、隆起面１２６の中央付近が切り欠き１３４内に配設されている。隆起面１２６は、ｚ１方向に向けて切り欠き１３４の端部１３７に当接するように配設されている。切り欠き１３４は、端部１３７の両端の２点で隆起面１２６に当接する。隆起面１２６は、ｘｙ平面に沿って端部１３７に当接するように配設されている。
【００５１】
（まとめ）
ｚ方向に沿って、切り欠き１３４の端部１３７が隆起面１２６に当接するので、電子部品１３０の支持面１３２とキャリアテープ１２０の底面１２４との間隔が保たれる。隆起面１２６の中央付近が切り欠き１３４内に配設されているので、縁１３５に沿った電子部品１３０の動きが抑制されて、電子部品１３０の位置が固定される。従って、図２に示すように、電子部品１３０とキャリアテープ１２０との間隔が保たれるので、電子部品１３０が取り出しやすい。電子部品１３０は、図５に示す角部１３６で図２の隆起面１２６により支持されるので、側面１３３で支持する場合に比較して、側面１３３の広い領域に端子を配設することができる。
【００５２】
従来のように、ｙ方向及びｘ方向から電子部品の側面を挟む構造の場合、電子部品またはキャリアテープの寸法誤差に起因して、電子部品が収容穴に入らないか、収容穴内で大きく動くおそれがある。しかし、本実施形態のように、円錐形状の隆起面１２６の一部を切り欠き１３４内に配設する構造とすると、寸法誤差がある電子部品１３０とキャリアテープ１２０とを組み合わせても、隆起面１２６のいずれかの位置に切り欠き１３４が当接しやすい。従って、電子部品１３０がキャリアテープ１２０内に安定して保持される。
【００５３】
他の例において、３つ以上の他の個数の隆起面１２６と同数の切り欠き１３４とをそれぞれ当接させてもよい。他の例において、電子部品１３０の外形は、直方体以外の多角形などの他の形状であってもよい。他の例において、切り欠き１３４は、隆起面１２６に複数の点で当接する他の形状であってもよい。
【００５４】
本実施形態によれば、切り欠き１３４内に隆起面１２６が配設されているので、直線状の部分に隆起面１２６が当接するように配設されている場合に比べて、収容穴１４０に電子部品１３０を安定して収容できる。
【００５５】
本実施形態によれば、隆起面１２６が、ｚ１方向において端部１３７に当接するので、電子部品１３０のｚ２方向における動きが制限される。さらに、隆起面１２６が、ｚ方向に直交するｘｙ平面内の方向において端部１３７に当接するので、ｚ方向に直交するｘｙ平面内の方向における電子部品１３０の動きが制限される。従って、電子部品１３０を出し入れするｚ方向における電子部品１３０の動きと、ｚ方向に直交するｘｙ平面内の方向における電子部品１３０の動きとを別の部材で制限する場合に比べ、簡単な構成で収容穴１４０に電子部品１３０を安定して収容できる。
【００５６】
本実施形態によれば、凸面である隆起面１２６が切り欠き１３４内に配設されているので、直線状の部分に隆起面１２６が当接するように配設されている場合に比べて、収容穴１４０に電子部品１３０を安定して収容できる。
【００５７】
本実施形態によれば、略円錐形状の曲面の一部である凸面が切り欠き１３４内に配設されているので、直線状の部分に隆起面１２６が当接するように配設されている場合に比べて、収容穴１４０に電子部品１３０を安定して収容できる。
【００５８】
本実施形態によれば、ｚ方向に延在する略円柱形状の曲面の一部を含む切り欠き１３４内に隆起面１２６が配設されているので、直線状の部分に隆起面１２６が当接するように配設されている場合に比べて、収容穴１４０に電子部品１３０を安定して収容できる。
【００５９】
本実施形態によれば、切り欠き１３４が角部１３６に配設されているので、角部１３６を画定する２つの縁１３５に沿った電子部品１３０の移動を抑制できる。
【００６０】
（第２実施形態）
次に、第２実施形態のキャリアテープ組立体について説明する。図６は、本実施形態のキャリアテープ組立体２００の平面図である。以下、第１実施形態のキャリアテープ組立体１００（図２）と本実施形態のキャリアテープ組立体２００との相違点を中心に説明する。図２の第１実施形態のキャリアテープ組立体１００では、各構成要素の百の位が１で表されており、図６の第２実施形態のキャリアテープ組立体２００では、各構成要素の百の位が２で表されている。百の位のみが異なる構成要素は、それぞれ、同様の構成要素を表す。
【００６１】
第１実施形態では、隆起面１２６が４つであるが、本実施形態では、隆起面２２６が３つである。すなわち、本実施形態では、第１実施形態の第４隆起面１２６ｄ（図２）に対応する構成要素がない。隆起面２２６と切り欠き２３４との組み合わせは、３つ以上あれば、安定して収容穴２４０に電子部品２３０を安定して収容できる。
【００６２】
本実施形態によれば、第１実施形態と同様の効果が得られる。３つの隆起面２２６の各々が異なる切り欠き２３４内に配設されているので、収容穴２４０に電子部品２３０を安定して収容できる。本実施形態によれば、第１実施形態より少ない隆起面２２６と切り欠き２３４との組み合わせにより、収容穴２４０に電子部品２３０を安定して収容できる。
【００６３】
（第３実施形態）
次に、第３実施形態のキャリアテープ組立体について説明する。図７は、本実施形態のキャリアテープ組立体３００の平面図である。図８は、図７の８−８線を通るキャリアテープ組立体３００の断面（ｘ方向に直交する）を、矢印の方向（ｘ１方向）に見た部分断面図である。
【００６４】
以下、第１実施形態のキャリアテープ組立体１００（図２）と本実施形態のキャリアテープ組立体３００との相違点を中心に説明する。図２の第１実施形態のキャリアテープ組立体１００では、各構成要素の百の位が１で表されており、図７の第３実施形態のキャリアテープ組立体３００では、各構成要素の百の位が３で表されている。百の位のみが異なる構成要素は、それぞれ、同様の構成要素を表す。
【００６５】
（隆起面）
本実施形態のキャリアテープ３２０の隆起面３２６の位置は、第１実施形態のキャリアテープ１２０（図２）の隆起面１２６と異なる。図７に示すように、隆起面３２６は、収容穴３４０内に配設されている。隆起面３２６は、ｚ方向とｚ方向に直交するｘｙ平面との両方に対して傾斜して開口３２３を臨む凸面をもつ。すなわち、電子部品３３０がない状態において、開口３２３から隆起面３２６の凸面を視認することができる。隆起面３２６の凸面の形状は、略円錐形状の曲面の一部を含む。
【００６６】
第１隆起面３２６ａは、第１内面３２５ａと底面３２４との交差部分に配設されている。第２隆起面３２６ｂは、第２内面３２５ｂと底面３２４との交差部分に配設されている。第３隆起面３２６ｃは、第３内面３２５ｃと底面３２４との交差部分に配設されている。第４隆起面３２６ｄは、第４内面３２５ｄと底面３２４との交差部分に配設されている。本実施形態の隆起面３２６の各々は、１つの内面３２５と底面３２４との交差部分に配設されており、他の内面３２５からは離間している。第１隆起面３２６ａ及び第２隆起面３２６ｂは、第１内面３２５ａと第２内面３２５ｂとの交差部分の近傍において、互いに近接して配設されている。第３隆起面３２６ｃ及び第４隆起面３２６ｄは、第３内面３２５ｃと第４内面３２５ｄとの交差部分の近傍において、互いに近接して配設されている。
【００６７】
図７の矢印３５０は、第４隆起面３２６ｄの外形に対応する仮想的な円錐形の中心軸上に存在し、仮想的な円錐形の先端の向く方向を指す。矢印３５０は、ｘｙ平面に平行であり、底面３２４からｚ２方向に離間している。矢印３５０は、ｙ１方向を向いている。すなわち、矢印３５０は、図７のようにｚ２方向に見たとき、収容穴３４０内部を向く。第１隆起面３２６ａは、第４隆起面３２６ｄをｘｙ平面内で時計回りに９０度回転させた形状をもつ。第２隆起面３２６ｂは、第４隆起面３２６ｄをｘｙ平面内で時計回りに１８０度回転させた形状をもつ。第３隆起面３２６ｃは、第４隆起面３２６ｄをｘｙ平面内で時計回りに２７０度回転させた形状をもつ。
【００６８】
図８で第１隆起面３２６ａにより代表的に示されるように、隆起面３２６の中央付近（断面に現れる第１隆起面３２６ａの母線上）は、概ね、内面３２５に近いほどｚ方向において底面３２４から遠く、内面３２５から遠いほどｚ方向において底面３２４に近い。また、図８で第２隆起面３２６ｂにより代表的に示されるように、隆起面３２６は、ｙ方向中央付近でｚ方向において底面３２４から最も遠く、ｙ方向中央から遠いほどｚ方向において底面３２４に近い。
【００６９】
（切り欠き）
図９は、電子部品３３０をｚ１方向に見た底面図である。本実施形態の電子部品３３０の切り欠き３３４の位置は、第１実施形態の電子部品１３０の切り欠き１３４の位置と異なる。
【００７０】
第１切り欠き３３４ａ〜第４切り欠き３３４ｄは、それぞれ、第１側面３３３ａ〜第４側面３３３ｄに配設されている。第１端部３３７ａ〜第４端部３３７ｄ（以下、区別せずに端部３３７と呼ぶ場合がある）は、それぞれ、第１切り欠き３３４ａ〜第４切り欠き３３４ｄの支持面３３２側の端部である。４つの第１縁３３５ａ〜第４縁３３５ｄ（以下、区別せずに縁３３５と呼ぶ場合がある）の各々に１つの切り欠き３３４が配設されている。第１切り欠き３３４ａ及び第３切り欠き３３４ｃは、それぞれ、第１側面３３３ａ及び第３側面３３３ｃのｘ方向端部から離間している。第２切り欠き３３４ｂ及び第４切り欠き３３４ｄは、それぞれ、第２側面３３３ｂ及び第４側面３３３ｄのｙ方向端部から離間している。
【００７１】
切り欠き３３４の形状は、ｚ方向と平行な中心軸をもってｚ方向に延在する略円柱形状の曲面の一部を含む。切り欠き３３４は、略円柱形状の曲面の２分の１の形状をもつ。切り欠き３３４は、側面３３３から内側に窪んだ形状をもつ。切り欠き３３４の端部３３７は、側面３３３から支持面３３２内で内側に窪んだ形状をもち、円周の２分の１の形状をもつ。
【００７２】
（位置関係）
図７に示すように、ｚ２方向に見たとき、第１切り欠き３３４ａ〜第４切り欠き３３４ｄは、それぞれ、第１隆起面３２６ａ〜第４隆起面３２６ｄに重なる位置にある。
【００７３】
図１０は、図８の１０−１０線を通るキャリアテープ組立体３００の断面を、矢印の方向にみた部分断面図である。図１０は、第１隆起面３２６ａと第１切り欠き３３４ａとの相対的な位置を示すが、他の組み合わせの隆起面３２６と切り欠き３３４との相対的な位置関係も同じである。図１０に示すように、凸面である隆起面３２６の少なくとも一部が、切り欠き３３４内に配設されている。すなわち、隆起面３２６の中央付近が切り欠き３３４内に配設されている。隆起面３２６は、ｚ１方向に向けて切り欠き３３４の端部３３７に当接するように配設されている。切り欠き３３４は、端部３３７の両端の２点で隆起面３２６に当接する。
【００７４】
図７に示すように、第１隆起面３２６ａ及び第３隆起面３２６ｃは、主に、ｘ方向において切り欠き３３４に当接するので、ｘ方向において電子部品３３０を固定する。第２隆起面３２６ｂ及び第４隆起面３２６ｄは、主に、ｙ方向において切り欠き３３４に当接するので、ｙ方向において電子部品３３０を固定する。
【００７５】
（まとめ）
ｚ方向に沿って、切り欠き３３４の端部３３７が隆起面３２６に当接するので、電子部品３３０の支持面３３２とキャリアテープ３２０の底面３２４との間隔が保たれる。隆起面３２６の中央付近が切り欠き３３４内に配設されているので、縁３３５に沿った電子部品３３０の動きが抑制されて、電子部品３３０の位置が固定される。従って、図７に示すように、電子部品３３０とキャリアテープ３２０との間隔が保たれるので、電子部品３３０が取り出しやすい。
【００７６】
従来のように、ｙ方向及びｘ方向から電子部品の側面を挟む構造の場合、電子部品またはキャリアテープの寸法誤差に起因して、電子部品が収容穴に入らないか、収容穴内で大きく動くおそれがある。しかし、本実施形態のように、円錐形状の隆起面３２６の一部を切り欠き３３４内に配設する構造とすると、寸法誤差がある電子部品３３０とキャリアテープ３２０とを組み合わせても、隆起面３２６のいずれかの位置に切り欠き３３４が当接しやすい。従って、電子部品３３０がキャリアテープ３２０内に安定して保持される。
【００７７】
他の例において、他の個数の隆起面３２６と同数の切り欠き３３４とをそれぞれ当接させてもよい。他の例において、電子部品３３０の外形は、直方体以外の多角形などの他の形状であってもよい。他の例において、切り欠き３３４は、隆起面３２６に複数の点で当接する他の形状であってもよい。
【００７８】
本実施形態によれば、切り欠き３３４内に隆起面３２６が配設されているので、直線状の部分に隆起面３２６が当接するように配設されている場合に比べて、収容穴３４０に電子部品３３０を安定して収容できる。
【００７９】
本実施形態によれば、隆起面３２６が、ｚ１方向において端部３３７に当接するので、電子部品３３０のｚ２方向における動きが制限される。さらに、隆起面３２６が、ｘ方向またはｙ方向において端部３３７に当接するので、ｘｙ平面と平行な方向への電子部品３３０の動きが制限される。従って、電子部品３３０を出し入れするｚ方向における電子部品３３０の動きと、ｚ方向に直交するｘｙ平面内の方向における電子部品３３０の動きとを別の部材で制限する場合に比べ、簡単な構成で収容穴３４０に電子部品３３０を安定して収容できる。
【００８０】
本実施形態によれば、凸面である隆起面３２６が切り欠き３３４内に配設されているので、直線状の部分に隆起面３２６が当接するように配設されている場合に比べて、収容穴３４０に電子部品３３０を安定して収容できる。
【００８１】
本実施形態によれば、略円錐形状の曲面の一部である凸面が切り欠き３３４内に配設されているので、直線状の部分に隆起面３２６が当接するように配設されている場合に比べて、収容穴３４０に電子部品３３０を安定して収容できる。
【００８２】
本実施形態によれば、ｚ方向に延在する略円柱形状の曲面の一部を含む切り欠き３３４内に隆起面３２６が配設されているので、直線状の部分に隆起面３２６が当接するように配設されている場合に比べて、収容穴３４０に電子部品３３０を安定して収容できる。
【００８３】
本実施形態によれば、切り欠き３３４の一部が縁３３５に配設されているので、縁３３５に沿った電子部品３３０の移動を抑制できる。
【００８４】
本実施形態によれば、略長方形の支持面３３２の４つの縁３３５の各々に切り欠き３３４が配設され、さらに、４つの隆起面３２６の各々が異なる切り欠き３３４内に配設されているので、収容穴３４０に電子部品３３０を安定して収容できる。
【００８５】
（第４実施形態）
次に、第４実施形態のキャリアテープ組立体について説明する。図１１は、本実施形態のキャリアテープ組立体４００の平面図である。以下、第３実施形態のキャリアテープ組立体３００と本実施形態のキャリアテープ組立体４００との相違点を中心に説明する。図７の第３実施形態のキャリアテープ組立体３００では、各構成要素の百の位が３で表されており、図１１の第４実施形態のキャリアテープ組立体４００では、各構成要素の百の位が４で表されている。百の位のみが異なる構成要素は、それぞれ、同様の構成要素を表す。
【００８６】
本実施形態のキャリアテープ４２０は、第３実施形態と同様の第１隆起面４２６ａ〜第４隆起面４２６ｄに加えて、第５隆起面４２６ｅ及び第６隆起面４２６ｆを含む。
【００８７】
第５隆起面４２６ｅは、第２内面４２５ｂと底面４２４との交差部分に配設されている。第６隆起面４２６ｆは、第３内面４２５ｃと底面４２４との交差部分に配設されている。第５隆起面４２６ｅ及び第６隆起面４２６ｆは、それぞれ、１つの内面４２５と底面４２４との交差部分に配設されており、他の内面４２５からは離間している。第５隆起面４２６ｅ及び第６隆起面４２６ｆは、第２内面４２５ｂと第３内面４２５ｃとの交差部分の近傍において、互いに近接して配設されている。第５隆起面４２６ｅは、第２隆起面４２６ｂをｙ２方向に平行移動させた形状をもつ。第６隆起面４２６ｆは、第３隆起面４２６ｃをｘ１方向に平行移動させた形状をもつ。
【００８８】
本実施形態の電子部品４３０は、第３実施形態と同様の第１切り欠き４３４ａ〜第４切り欠き４３４ｄに加えて、第５切り欠き４３４ｅ及び第６切り欠き４３４ｆを含む。
【００８９】
第５切り欠き４３４ｅは、第２側面４３３ｂに配設されている。第５切り欠き４３４ｅは、第２側面４３３ｂのｙ方向端部から離間している。第６切り欠き４３４ｆは、第３側面４３３ｃに配設されている。第６切り欠き４３４ｆは、第３側面４３３ｃのｘ方向端部から離間している。第５切り欠き４３４ｅは、第２切り欠き４３４ｂをｙ２方向に平行移動させた形状をもつ。第６切り欠き４３４ｆは、第３切り欠き４３４ｃをｘ１方向に平行移動させた形状をもつ。
【００９０】
ｚ２方向に見たとき、第５切り欠き４３４ｅ及び第６切り欠き４３４ｆは、それぞれ、第５隆起面４２６ｅ及び第６隆起面４２６ｆに重なる位置にある。
【００９１】
本実施形態によれば、第３実施形態と同様の効果が得られる。さらに、電子部品４３０の重心に偏りがある場合などにおいて、６組の隆起面４２６と切り欠き４３４とを備えることにより、収容穴４４０に電子部品４３０を安定して収容できる。
【００９２】
（第５実施形態）
次に、第５実施形態のキャリアテープ組立体について説明する。図１２は、本実施形態のキャリアテープ組立体５００の平面図である。以下、第４実施形態のキャリアテープ組立体４００と本実施形態のキャリアテープ組立体５００との相違点を中心に説明する。図１１の第４実施形態のキャリアテープ組立体４００では、各構成要素の百の位が４で表されており、図１２の第５実施形態のキャリアテープ組立体５００では、各構成要素の百の位が５で表されている。百の位のみが異なる構成要素は、それぞれ、同様の構成要素を表す。
【００９３】
本実施形態のキャリアテープ５２０は、第４実施形態と同様の第１隆起面５２６ａ〜第６隆起面５２６ｆに加えて、第７隆起面５２６ｇ及び第８隆起面５２６ｈを含む。
【００９４】
第７隆起面５２６ｇは、第４内面５２５ｄと底面５２４との交差部分に配設されている。第８隆起面５２６ｈは、第１内面５２５ａと底面５２４との交差部分に配設されている。第７隆起面５２６ｇ及び第８隆起面５２６ｈは、それぞれ、１つの内面５２５と底面５２４との交差部分に配設されており、他の内面５２５からは離間している。第７隆起面５２６ｇ及び第８隆起面５２６ｈは、第４内面５２５ｄと第１内面５２５ａとの交差部分の近傍において、互いに近接して配設されている。第７隆起面５２６ｇは、第４隆起面５２６ｄをｙ１方向に平行移動させた形状をもつ。第８隆起面５２６ｈは、第１隆起面５２６ａをｘ２方向に平行移動させた形状をもつ。
【００９５】
本実施形態の電子部品５３０は、第４実施形態と同様の第１切り欠き５３４ａ〜第６切り欠き５３４ｆに加えて、第７切り欠き５３４ｇ及び第８切り欠き５３４ｈを含む。
【００９６】
第７切り欠き５３４ｇは、第４側面５３３ｄに配設されており、第４側面５３３ｄのｙ方向端部から離間している。第８切り欠き５３４ｈは、第１側面５３３ａに配設されており、第１側面５３３ａのｘ方向端部から離間している。第７切り欠き５３４ｇは、第４切り欠き５３４ｄをｙ１方向に平行移動させた形状をもつ。第８切り欠き５３４ｈは、第１切り欠き５３４ａをｘ２方向に平行移動させた形状をもつ。
【００９７】
ｚ２方向に見たとき、第７切り欠き５３４ｇ及び第８切り欠き５３４ｈは、それぞれ、第７隆起面５２６ｇ及び第８隆起面５２６ｈに重なる位置にある。
【００９８】
本実施形態によれば、第４実施形態と同様の効果が得られる。さらに、電子部品５３０の重心に偏りがある場合などにおいて、８組の隆起面５２６と切り欠き５３４とを備えることにより、収容穴５４０に電子部品５３０を安定して収容できる。
【００９９】
本発明は上述した実施形態には限定されない。すなわち、当業者は、本発明の技術的範囲またはその均等の範囲内において、上述した実施形態の構成要素に関し、様々な変更、コンビネーション、サブコンビネーション、並びに代替を行ってもよい。
【産業上の利用可能性】
【０１００】
本発明は、電子部品を収容して搬送するキャリアテープに適用可能である。電子部品は、例えば、半導体チップ、電子回路基板などである。
【符号の説明】
【０１０１】
１００、２００、３００、４００、５００…キャリアテープ組立体
１２０、２２０、３２０、４２０、５２０…キャリアテープ
１２１、２２１、３２１、４２１、５２１…周辺部
１２２、２２２、３２２、４２２、５２２…収容部
１２３、２２３、３２３、４２３、５２３…開口
１２４、２２４、３２４、４２４、５２４…底面
１２５、２２５、３２５、４２５、５２５…内面
１２６、２２６、３２６、４２６、５２６…隆起面
１２９、２２９、３２９、４２９、５２９…透明フィルム
１３０、２３０、３３０、４３０、５３０…電子部品
１３１、２３１、３３１、４３１、５３１…上面
１３２、２３２、３３２、４３２、５３２…支持面
１３３、２３３、３３３、４３３、５３３…側面
１３４、２３４、３３４、４３４、５３４…切り欠き
１３５、２３５、３３５、４３５、５３５…縁
１３６、２３６、３３６、４３６、５３６…角部
１３７、２３７、３３７、４３７、５３７…端部
１４０、２４０、３４０、４４０、５４０…収容穴
【図１】
2017165426.tif 000003
【図２】
2017165426.tif 000004
【図３】
2017165426.tif 000005
【図４】
2017165426.tif 000006
【図５】
2017165426.tif 000007
【図６】
2017165426.tif 000008
【図７】
2017165426.tif 000009
【図８】
2017165426.tif 000010
【図９】
2017165426.tif 000011
【図１０】
2017165426.tif 000012
【図１１】
2017165426.tif 000013
【図１２】
2017165426.tif 000014